【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
電子番組表の表示を制御する番組情報表示制御装置であって、
前記電子番組表に表示されるそれぞれの番組に関する番組情報を取得する情報取得手段と、
前記情報取得手段で取得された前記番組情報を表示装置に表示させる表示制御手段と、
前記電子番組表の表示に係る表示条件の指定を受け付ける指定手段とを備え、
前記表示制御手段は、前記番組情報を前記電子番組表の形態で表示させる第１のモードと、前記指定手段で受け付けた表示条件に対応する番組の番組情報を、前記第１のモードにおいて表示された番組情報量より増加させて表示させる第２のモードとを備えることを特徴とする番組情報表示制御装置。
【請求項２】
前記表示制御手段は、前記第２のモードにおいて、前記指定手段で受け付けた表示条件に対応する番組の番組情報を、前記電子番組表上の番組情報表示位置に表示することを特徴とする請求項１に記載の番組情報表示制御装置。
【請求項３】
前記表示制御手段は、前記第２のモードにおいて、前記指定手段で受け付けた表示条件に対応する番組の番組情報を、前記第１のモードにおいて該番組の番組情報が表示されていた位置でポップアップ表示させる制御を行うことを特徴とする請求項１に記載の番組情報表示制御装置。
【請求項４】
前記指定手段で受け付けた表示条件に対応する番組が複数存在する場合、前記表示制御手段は、前記複数の番組の番組情報を一括表示することを特徴とする請求項１から３までのいずれか１項に記載の番組情報表示制御装置。
【請求項５】
前記表示制御手段が、前記第２のモードにおいて、前記表示装置に表示されている前記電子番組表のチャネル情報と時間帯情報とに基づく表示範囲内で、前記表示条件に対応する番組の番組情報を表示させることを特徴とする請求項１から４までのいずれか１項に記載の番組情報表示制御装置。
【請求項６】
前記表示条件に対応する番組は、前記第１のモードにおける表示状態では前記番組に関する文字情報が表示されない番組であることを特徴とする請求項１から５までのいずれか１項に記載の番組情報表示制御装置。
【請求項７】
前記表示条件は、放送時間５分間以内の短時間番組、所定のジャンルの番組、指定された時間帯に放送される番組、番組情報内に指定された所定のキーワードを含む番組のうち、少なくともいずれか一つを含むことを特徴とする請求項１から６までのいずれか１項に記載の番組情報表示制御装置。
【請求項８】
電子番組表を表示する表示装置を遠隔操作する装置であって、
前記表示装置により表示された電子番組表に含まれる番組のうち、所定の条件に対応する複数の番組について、詳細な番組情報を一括表示させる指定を入力する第１の指定手段を備えることを特徴とする遠隔操作装置。
【請求項９】
前記所定の条件を指定する第２の指定手段をさらに備え、
前記第１の指定手段は、前記第２の指定手段により指定された前記所定の条件に合致した番組の詳細な番組情報を一括表示させることを特徴とする請求項８に記載の遠隔操作装置。
【請求項１０】
電子番組表の表示を制御する番組情報表示制御方法であって、
前記電子番組表に表示されるそれぞれの番組に関する番組情報を取得する情報取得工程と、
前記情報取得工程で取得された前記番組情報を表示装置に表示させる表示制御工程と、
前記電子番組表の表示に係る表示条件の指定を受け付ける指定工程とを有し、
前記表示制御工程は、前記番組情報を前記電子番組表の形態で表示させる第１のモードと、前記指定工程で受け付けた表示条件に対応する番組の番組情報を、前記第１のモードにおいて表示された番組情報量より増加させて表示させる第２のモードとを有することを特徴とする番組情報表示制御方法。
【請求項１１】
前記表示制御工程は、前記第２のモードにおいて、前記指定工程で受け付けた表示条件に対応する番組の番組情報を、前記電子番組表上の番組情報表示位置に表示することを特徴とする請求項１０に記載の番組情報表示制御方法。
【請求項１２】
前記表示制御工程は、前記第２のモードにおいて、前記指定工程で受け付けた表示条件に対応する番組の番組情報を、前記第１のモードにおいて該番組の番組情報が表示されていた位置でポップアップ表示させる制御を行うことを特徴とする請求項１０に記載の番組情報表示制御方法。
【請求項１３】
前記指定工程で受け付けた表示条件に対応する番組が複数存在する場合、前記表示制御工程は、前記複数の番組の番組情報を一括表示することを特徴とする請求項１０から１２までのいずれか１項に記載の番組情報表示制御方法。
【請求項１４】
前記表示制御工程が、前記第２のモードにおいて、前記表示装置に表示されている前記電子番組表のチャネル情報と時間帯情報とに基づく表示範囲内で、前記表示条件に対応する番組の番組情報を表示させることを特徴とする請求項１０から１３までのいずれか１項に記載の番組情報表示制御方法。
【請求項１５】
前記表示条件に対応する番組は、前記第１のモードにおける表示状態では前記番組に関する文字情報が表示されない番組であることを特徴とする請求項１０から１４までのいずれか１項に記載の番組情報表示制御方法。
【請求項１６】
前記表示条件は、放送時間５分間以内の短時間番組、所定のジャンルの番組、指定された時間帯に放送される番組、番組情報内に指定された所定のキーワードを含む番組のうち、少なくともいずれか一つを含むことを特徴とする請求項１０乃至１５のいずれか１項に記載の番組情報表示制御方法。
【請求項１７】
請求項１０から１６までのいずれか１項に記載の番組情報表示制御方法の各工程をコンピュータに実行させることを特徴とするプログラム。
【請求項１８】
請求項１７に記載のプログラムを格納したことを特徴とするコンピュータ読み取り可能な記憶媒体。
【手続補正２】
【補正対象書類名】明細書
【補正対象項目名】００１１
【補正方法】変更
【補正の内容】
【００１１】
【課題を解決するための手段】
上記課題を解決するため、本発明は、電子番組表の表示を制御する番組情報表示制御装置であって、前記電子番組表に表示されるそれぞれの番組に関する番組情報を取得する情報取得手段と、前記情報取得手段で取得された前記番組情報を表示装置に表示させる表示制御手段と、前記電子番組表の表示に係る表示条件の指定を受け付ける指定手段とを備え、前記表示制御手段は、前記番組情報を前記電子番組表の形態で表示させる第１のモードと、前記指定手段で受け付けた表示条件に対応する番組の番組情報を、前記第１のモードにおいて表示された番組情報量より増加させて表示させる第２のモードとを備えることを特徴とする。
また、上記課題を解決するため、本発明は、電子番組表を表示する表示装置を遠隔操作する装置であって、前記表示装置により表示された電子番組表に含まれる番組のうち、所定の条件に対応する複数の番組について、詳細な番組情報を一括表示させる指定を入力する第１の指定手段を備えることを特徴とする。
さらに、上記課題を解決するため、本発明は、電子番組表の表示を制御する番組情報表示制御方法であって、前記電子番組表に表示されるそれぞれの番組に関する番組情報を取得する情報取得工程と、前記情報取得工程で取得された前記番組情報を表示装置に表示させる表示制御工程と、前電子番組表の表示に係る表示条件の指定を受け付ける指定工程とを有し、前記表示制御工程は、前記番組情報を前記電子番組表の形態で表示させる第１のモードと、前記指定工程で受け付けた表示条件に対応する番組の番組情報を、前記第１のモードにおいて表示された番組情報量より増加させて表示させる第２のモードとを有することを特徴とする。
さらにまた、上記課題を解決するため、本発明に係るプログラムは、上記番組情報表示制御方法の各工程をコンピュータに実行させることを特徴とする。
さらにまた、上記課題を解決するため、本発明に係る記憶媒体は、上記プログラムを格納したことを特徴とする。